(57)【要約】【課題】フィルム又はシート生産時に予めリード紙の付与された筒状支持体であって、フィルム又はシート製造時において通常の巻き取り装置を用いて巻取り可能であり、印刷工程時においても支障が生じない筒状支持体、及びその筒状支持体を用いてフィルムやシートを巻き取る方法を提供する。【解決手段】本発明は、芯管２、リード紙３及び接着部４からなるフィルム又はシートを巻き取るための筒状支持体１であって、ａ．芯管２にリード紙３が巻き取られており、ｂ．リード紙３の先端部分に再剥離可能な接着部４を有し、ｃ．接着部４と下層のリード紙３Ｌとが接着され、芯管２とリード紙３が一体となった筒状支持体１。【選択図】【特許請求の範囲】
【請求項１】
芯管２、リード紙３及び接着部４からなるフィルム又はシートを巻き取るための筒状支持体１であって、
ａ．芯管２にリード紙３が巻き取られており、
ｂ．リード紙３の先端部分に再剥離可能な接着部４を有し、
ｃ．接着部４と下層のリード紙３Ｌとが接着され、
芯管２とリード紙３が一体となった筒状支持体１。
【請求項２】
接着部４の接着強度が０．５Ｎ／ｍ〜５０Ｎ／ｍである請求項１記載の筒状支持体１。
【請求項３】
請求項１、又は２記載の筒状支持体１を用い、リード紙３先端部分表面に接合部６を設け、フィルム又はシート５を接合し、筒状支持体１を回転させながらフィルム又はシートを巻き取る方法。
【発明の詳細な説明】
【０００１】
【発明の属する技術分野】
本発明は、フィルム又はシートを巻き取るための筒状支持体、及びその筒状支持体を用いてフィルム又はシートを巻き取る方法に関する。特に、印刷用樹脂フィルム又はシートの筒状支持体として好適に用いることができる。
【０００２】
【従来の技術】
従来、渦巻状に巻き取られたフィルム又はシート（以下、ロールと記す）を用いる輪転印刷機では、印刷中のロールが無くなる前に新しいロールと連結して、ロール切れによる中断を無くし、連続的に印刷が行われている（例えば、特開平６−１７１０６７号公報、特開平７−２３２８４５号公報、特開平７−２３７７９２号公報）。または、ロールとロールの間にリード紙を貼付け、印刷ラインに通し、リード紙が印刷機内にある時に、フィルム又はシートの印刷位置を完全に合わせてから印刷する方法が用いられている。
【０００３】
【発明が解決しようとする課題】
前者方法は、フィルム又はシート同士をつなぎ合わせる時に若干のズレが生じやすく、ペースター（印刷中のロールから次の新しいロールへのシート又はフィルムの継ぎ変え）の際に、ぺースター直後の次のロールの最初の印刷部分に大きな画線ズレが生じるという問題があった。ロール継ぎ変え後に生じた大きな画線ズレは徐々に調整せざるを得ず、調整完了までの間に大量の不良印刷が行われるため、ムダが多く、各製品長にバラツキが生じることが多かった。したがって、キャリアテープのように、製品長に規格がある場合には、上記方法を適応するのは難しいものであった。
【０００４】
一方、後者方法を用いた場合、ロールとロールの間にリード紙を貼り付けて印刷ラインに通すため、印刷機内にリード紙がある時に、完全に印刷位置を合わせてからシートを印刷することから、フィルム又はシートに印刷不良が生じにくく、印刷後のフィルム又はシート長は一定のものを得ることが出来る。しかし、印刷する前に、予めフィルム又はシートにリード紙を取り付けるという作業が必要であった。これは、特開平７−１０１６０３号公報に記載されるような紙継ぎ方法を用いて、フィルム又はシートとリード紙の取付けを行うことが可能であるが、非常に手間のかかるものである。しかしながら、製品長に規格がある場合、規定長の製品が取れないことによる甚大な損失に比較してコスト的にメリットがあることからこの様な方法が長年とられてきた。
【０００５】
そこで、本発明の目的とするところは、フィルム又はシート生産時に予めリード紙の付与された筒状支持体であって、フィルム又はシート製造時において通常の巻き取り装置を用いて巻取り可能であり、印刷工程時においても支障が生じないコスト的に非常に安価に製造することが可能な筒状支持体、及びその筒状支持体を用いてフィルムやシートを巻き取る方法を提供することにある。
【０００６】
【課題を解決するための手段】
本発明者等は上記問題点を解決するために鋭意検討した結果、フィルム又はシート製造時の巻き取り工程と、印刷時の巻き取り工程では、フィルム又はシートにかかる引っ張り強度が異なることを見出した。そして、この引っ張り強度の差を利用して、フィルム又はシート製造時には、リード紙が筒状支持体に固定されており、通常の筒状支持体と同様の工程でフィルム又はシートを巻き取ることができ、しかも、印刷時には、リード紙が自動的に繰り出し、リード紙の付いたフィルム又はシートとして利用することが可能な筒状支持体、及びその筒状支持体を用いてフィルムやフィルム又はシートを巻き取る方法により本発明を完成させた。
【０００７】
すなわち、第１の本発明は、芯管２、リード紙３及び接着部４からなるフィルム又はシートを巻き取るための筒状支持体１であって、
ａ．芯管２にリード紙３が巻き取られており、
ｂ．リード紙３の先端部分に再剥離可能な接着部４を有し、
ｃ．接着部４と下層のリード紙３Ｌとが接着され、
芯管２とリード紙３が一体となった筒状支持体１である。
【０００８】
第２の本発明は、接着部４の接着強度が０．５Ｎ／ｍ〜５０Ｎ／ｍである上記の筒状支持体１である。
【０００９】
第３の本発明は、上記の筒状支持体１を用い、リード紙３先端部分表面に接合部６を設け、フィルム又はシート５を接合し、筒状支持体１を回転させながらフィルム又はシートを巻き取る方法。
【００１０】
【発明の実施の形態】
芯管２は、フィルム又はシートを巻き取ることの出来る十分な強度と機能性があれば、材質、サイズには特に制限されない。例えば、シートやフィルムの巻き取りに一般的に用いられている３インチ紙管と呼ばれている紙製（内径が約７５ｍｍ、外径が約９２ｍｍ）のものが挙げられる。また、場合によっては、プラスチック製や金属製のものでも全く問題ない。
【００１１】
芯管に巻き付けておくリード紙３は印刷中、印刷機のガイドロールへフィルム又はシートを導くために使用するものであり、十分な長さが必要である。リード紙長が短すぎるとフィルム又はシート継ぎ変え時、印刷位置を合わせる前にリード紙が無くなり、位置合わせが不充分な状態でフィルム又はシートに印刷を行わなければならなくなる。一方、リード紙長が長過ぎるとリード紙を繰り出す時間が余分に必要となり、作業効率が低下する。リード紙の適正な長さは印刷設備や、印刷を行う色数によって変化するのものであるが、一般的な印刷工程を考慮すれば、３０ｍ〜８０ｍが好ましい。
【００１２】
リード紙３は印刷の位置合わせ時に乾燥工程にとどまり、長時間熱を受けることがあるため、十分な耐熱性が必要である。通常、６０〜１５０℃程度で乾燥が行われているため、一般的な紙でも耐熱性は十分であるが、特に高温の乾燥工程を通過する場合には耐熱性のある素材を用いることが好ましく、二軸延伸のポリエステルフィルムの様なプラスチック製の素材を用いることも出来る。
【００１３】
リード紙３は、印刷機を通過する時にフィルム又はシートと同じテンションを受けるため、十分な強度が必要である。２００μｍ程度のフィルム又はシートを印刷する場合、一般的に２０ｇ／ｍ２〜１５０ｇ／ｍ２程度の目付けの紙やフィルムを用いることが多いが、これより厚いフィルム又はシートを印刷する場合にはより強いテンションで印刷が行われるため、より高い強度を持ったものを選択することが必要である。
【００１４】
また、リード紙３の巾は、印刷のズレや、取り扱い上の点を考えるとフィルム又はシートの巾と、或いは芯管２の巾とほぼ同一であることが好ましい。そして、リード紙３は芯管２と十分な強度で接着されていることが必要である。好ましくは７３Ｎ／ｍ以上、更に好ましくは１９６Ｎ／ｍ以上の接着強度を有するものである。接着強度が不充分だと、フィルム又はシートを巻き取ることができない。また、接着強度が十分であれば、接着方法は、粘着テープ、接着剤、両面テープ等何れの方法を用いても構わない。
【００１５】
本発明品の筒状支持体１は、リード紙３の先端部分の接着部４をその下層のリード紙に種々の方法により接着して、芯管２とリード紙３と一体としたものであって、フィルム又はシート製造時に通常の筒状支持体と同様にフィルム又はシートの巻き取りを行うことが可能である。一方、印刷時にはリード紙３の先端部分が破断することなしに剥離し、リード紙が繰り出される。ここで、リード紙及びフィルム又はシートの巻き取り方向を縦方向、巻取り方向と垂直な方向を横方向と便宜上定義する。また、先端部分とは、リード紙の先端部３ａから縦方向に２０ｃｍまでの帯状の領域を指すものとする。
【００１６】
先端部分の接着部４の接着強度が不十分な場合には、フィルム又はシートを巻き付ける時に接着部４が剥がれてしまい、フィルム又はシートを巻き付けることが出来ない。したがって、接着部４に必要な接着強度は、０．２５Ｎ／ｍ以上、好ましくは０．５Ｎ／ｍ以上である。
【００１７】
一方、上記接着強度が強すぎると、印刷時に再剥離し難く、場合によってはリード紙３が破断等のトラブルを引き起こしてしまうので好ましくない。したがって、接着部４の接着強度はが５０Ｎ／ｍ以下、好ましくは２５Ｎ／ｍ以下である。
【００１８】
したがって、先端部分の接着部４の接着強度はリード紙３の材質や強度によっても異なるが、０．２５Ｎ／ｍ〜５０Ｎ／ｍ、好適には０．５Ｎ／ｍ〜２５Ｎ／ｍ、更に好適には０．５Ｎ／ｍ〜１５Ｎ／ｍであり、最も好適な範囲としては０．５Ｎ／ｍ〜５Ｎ／ｍである。リード紙３に強度の高いＰＥＴフィルムを用いた場合、破れにくく、上記範囲よりも高い接着強度で接着させても再剥離させることは可能であるが、印刷時に印刷機のガイドロールにくっついてしまうなど熱によるトラブルが発生し易い傾向がある。
【００１９】
本発明品の先端部分の接着部４を下層のリード紙３Ｌと接着させる具体的な方法としては以下の４つの方法が考えられるが、本発明は下記方法に限定されるものではない。
【００２０】
１つ目の方法としては、先端部分の裏面に再剥離可能な接着剤を塗布することで接着部４を作成し、接着させる方法である。再剥離可能な接着剤であれば、液体塗布方式、スプレー塗布方式等、どの様な形態のものであっても構わない。例えば、住友スリーエム株式会社製のスプレーのりタイプ５５やタイプ６６が挙げられる。接着剤の塗布は、上記範囲内の接着強度が得られれば、先端部分の横巾全部に塗布する必要はなく、フィルム又はシートの横方向に一定間隔をあけて塗布することも出来る。また、接着剤を塗布する縦巾は、上記範囲内の接着強度が得られれば、特に制限されないが、先端部分内に０．１ｃｍ〜２０ｃｍの範囲で塗布することが好ましく、更に好ましくは１ｃｍ〜５ｃｍの範囲である。接着剤を塗布する縦巾が狭すぎると接着が不十分となる危険性が生ずる。一方、接着する縦巾が広すぎると経済的に好ましくないばかりか、再剥離しにくくなる。
【００２１】
２つ目の方法としては、図１０に示すようにリード紙３先端部分に、その先端部３ａから一部がはみ出すように片面テープを貼りつけることで接着部４を作成し、接着させる方法である。上記接着強度が得られれば、どの様な片面テープでも用いることが出来る。例えば、住友スリーエム株式会社製はってはがせるテープタイプ８１１が挙げられる。接着は上記接着剤を塗布させる時と同様、上記範囲内の接着強度が得られれば、図５に示すように接着部４は、先端部分の横巾全部に作成する必要はなく、フィルム又はシートの横方向に一定間隔をあけて作成することが出来る。また、テープをはみ出させる縦巾は上記範囲内の接着強度が得られれば、特に制限されないが、リード紙の先端部３ａから０．１ｃｍ〜５ｃｍの範囲が好ましい。更に好ましくは０．５ｃｍ〜２ｃｍの範囲である。はみ出す縦巾が狭すぎると接着が不十分となる危険性が生じる。一方、接着の縦巾が広すぎても経済的に好ましくないばかりか、再剥離しにくくなる。
【００２２】
３つ目の方法としては、リード紙３の先端部分裏面に、少なくとも一方の面が再剥離可能である両面テープを用いることで接着部４を作成し、接着させる方法である。両面テープの少なくとも一方の面が再剥離可能であれば、リード紙３の先端部分裏面にどちらの面を接着しても問題はない。また、上記範囲内の接着強度が得られれば、どの様なタイプの両面テープも用いることが可能であるが、接着強度の差が小さい場合には印刷時、再剥離する時に両面テープの片側のみがスムーズに剥がれにくくなるため好ましくない。好ましくは、接着強度比が各面で２倍以上あることが好ましい。例えば、寺岡製作所株式会社製の両面テープ品番Ｎｏ．７６９１が挙げられる。両面テープは、上記範囲内の接着強度が得られれば、先端部分の横巾全部に貼りつける必要はなく、フィルム又はシートの横方向に一定間隔をあけて接着することも出来る。また、両面テープを用いて接着する縦巾は上記範囲内の接着強度が得られれば、特に制限されないが、先端部分内に０．１ｃｍ〜５ｃｍの範囲が好ましい。更に好ましくは０．１ｃｍ〜１ｃｍの範囲である。両面テープ巾を貼り付ける縦巾が狭すぎると接着が不十分となる危険性が生じる。一方、縦巾が広すぎると経済的に好ましくないばかりか、再剥離しにくくなる。
【００２３】
４つ目の方法としては、リード紙３の先端部分裏面に層間剥離する素材を用いて接着部４を作成し、接着させる方法である。層間剥離強度は、０．２５Ｎ／ｍ〜５０Ｎ／ｍ、好適には０．５Ｎ／ｍ〜２５Ｎ／ｍ、更に好適には０．５Ｎ／ｍ〜１５Ｎ／ｍであり、最も好適な範囲としては０．５Ｎ／ｍ〜５Ｎ／ｍである。層間剥離素材とリード紙間の接着強度と、層間剥離する層の強度差が小さい場合、印刷時再剥離させる時にきれいに層間剥離し難くなるため好ましくない。このため、層間剥離素材とリード紙間の接着強度が、層間剥離強度の２倍以上であることが好ましい。上記範囲内の層間剥離強度が得られれば、先端部分の横巾全部に貼り付ける必要はなく、フィルム又はシートの横方向に一定間隔をあけて貼り付けすることも出来る。また、接着する縦巾は上記範囲内の層間剥離強度が得られれば、特に制限されないが、先端部分内に０．１ｃｍ〜１０ｃｍの範囲が好ましい。更に好ましくは０．５ｃｍ〜３ｃｍの範囲である。接着させる縦巾が狭すぎると接着強度が不十分となる危険性が発生する。一方、接着の縦巾が広すぎると経済的に好ましくない。
【００２４】
本発明の筒状支持体１は、リード紙３の最外層にフィルム又はシートを接合させるための接合部６を作成する。但し、接合部６を筒状支持体の全周にわたって作成してしまうと、印刷時に再剥離出来なくなってしまうため、少なくともリード紙３最外層の一部には接合されない部分が必要であり、特にリード紙３の先端部分にのみ作成することが好ましい。
【００２５】
また、接合部６は、十分な接着強度を有するものであればどの様なものでも使用することが出来るが、印刷時のテンションに十分耐える接着強度が必要であることから、リード紙３とフィルム又はシート５は、十分な強度で接合させる必要がある。好ましくは接着強度が７３Ｎ／ｍ以上、更に好ましくは１９６Ｎ／ｍ以上である。
【００２６】
筒状支持体１とリード紙３との接着方法は特に制限されないが、両面テープで接着させることが好ましい。両面テープを用いて接着する縦巾は上記接着強度が得られれば、特に制限されないが、先端部分内の１ｃｍ〜１０ｃｍが好ましい。更に好ましくは２ｃｍ〜５ｃｍの範囲である。接着させる縦巾が狭すぎると接着強度が不十分となる危険性が発生する。一方、縦巾が広すぎると経済的に好ましくない。また、上記範囲内の接着強度が得られれば、先端部分の横巾全部に貼りつける必要はなく、フィルム又はシートの横方向に一定間隔をあけて貼付けすることも出来る。
【００２７】
本発明の筒状支持体１を用いて、フィルム又はシートを巻き取る方法は、フィルム又はシートの先端３ａ部と、筒状支持体１上の接合部６とを接合させた後は、通常の筒状支持体を用いて巻取りを行う場合と同様に、筒状支持体１を回転させながらフィルムやフィルム又はシートを巻き取ることができる。
【００２８】
【発明の効果】
本発明の筒状支持体は、フィルム又はシート生産時にリード紙を付与したものであり、印刷時にリード紙を付与するための巻き直し工程を行う必要がない。しかも、フィルム又はシート製造時において通常の巻き取り装置を用いて巻き取ることが可能であり、コスト的にも非常に安価に製造することが可能な筒状支持体、及びその筒状支持体を用いてフィルムやフィルム又はシートを巻き取る方法を提供するものである。本筒状支持体、及びフィルムやフィルム又はシートを巻き取る方法は、製品長が規格統一されているなど、一定の印刷長の製品が求められる印刷用途にも好適に用いることができる。
【００２９】
【実施例】
以下、実施例によって本発明を更に具体的に説明するが、本発明はこれらに限定されるものではない。尚、接着強度及び剥離強度測定は次の方法に従って行った。
（１）１８０度剥離試験
ＪＩＳ−Ｋ−６８５４に準じた測定方法により、試験速度５０ｍｍ／分として測定を行った。
【００３０】
実施例−１
図２に記載されるように、米谷紙管株式会社製の紙製筒状支持体（芯管２；内径７６ｍｍ、厚さ１０ｍｍ）と、大王製紙株式会社製クラフト紙（リード紙３；目付け８０ｇ／ｍ２）の終端部３ｂとを両面テープ（寺岡製作所株式会社製：製品番号Ｎｏ．７６４４）を用いて接着し、芯管２にリード紙３を６０ｍ巻きつけを行った。
【００３１】
次に図３に示すように、筒状支持体１のリード紙３の先端部分裏面に再剥離可能な接着剤（住友スリーエム株式会社製スプレーのりタイプ６６）を巾縦約３ｃｍ、横全巾にわたって塗布し、接着部４を作成した。
【００３２】
その次に、図４に示すようにシートを接合するために、筒状支持体１の先端部分表面に両面テープ（寺岡製作所株式会社製：製品番号Ｎｏ．７６４４）を横全巾にわたって貼り付け、接合部６を作成した。
【００３３】
この筒状支持体１を用いて、通常の筒状支持体と同様の要領で厚さ０．２５ｍｍ、巾１ｍ、長さ８００ｍのシートを巻き取った。このときの接着部４とフィルム又はシートの関係を図８、そのＸ−Ｙ断面図を図９に示す。筒状支持体への巻き取りは図６に示すように接着部が剥れずに、通常の筒状支持体の場合と同様、シワやムラが生じず、スムーズに行うことができた。更に、このロールを用いて印刷したところ、図７に示すようにシート５とリード紙３の接着部４は、スムーズに再剥離した。シート部分の印刷が完全に終わり、リード紙が印刷機を通過している状態で印刷を停止して、シートの継ぎ替え、位置合わせが出来ることから、印刷したシートの長さは一定のものを得ることが出来た。
【００３４】
実施例−２
実施例−１と同様に、リード紙を８０ｍ巻きつけた筒状支持体１を得た。そして、リード紙３の先端部３ａに図５に示すように、再剥離可能な片面テープ（住友スリーエム株式会社製はってはがせるテープタイプ８１１）（巾１８ｍｍ）を先端部３ａに一定間隔で貼りつけた。更に、シート５の接着のために、リード紙先端部分表面に両面テープを全横巾にわたって貼り付け、接合部６を作成した。実施例−１と同様にシートを巻き取った。このときの接着部４とフィルム又はシートの断面図を図１０に示す。また、実施例−１と同様に印刷を行ったが通常の筒状支持体を用いた場合同様に良好な結果を得た。印刷したシートの長さも一定のものを得ることが出来た。
【００３５】
実施例−３
実施例−１と同様に、リード紙を８０ｍ巻きつけた筒状支持体１を得た。そして、リード紙３の先端部３ａに再剥離可能な片面テープ（住友スリーエム株式会社製はってはがせるテープタイプ８１１）（巾１８ｍｍ）を横全巾にわたって貼りつけた。更に、シート５の接着のためにリード紙先端部分表面に両面テープを全横巾にわたって貼り付け、接合部６を作成した。実施例−１、２と同様にシートの巻きつけ、印刷は良好に行われた。
【００３６】
実施例−４
日本オフィスラミネータ株式会社のハクリラミフィルムを大王製紙株式会社製クラフト紙（目付け８０ｇ／ｍ２）の間に挟みこみ、ラミネータを用いて完全に接着させ、層間剥離可能な素材を得た。実施例−１と同様に、リード紙を８０ｍ巻きつけた筒状支持体１を得た。そして、先端部分裏面と、その下層リード紙とを、上記方法により得られた層間剥離可能な素材の両面に接着剤を付け、貼り合わせた。更に、シート５の接着のためにリード紙先端部分表面に両面テープを全横巾にわたって貼り付け、接合部６を作成した。実施例−１〜３と同様にシートの巻きつけ、印刷は良好に行われた。
【００３７】
比較例−１
実施例−１と同様にして、リード紙を６０ｍ巻きつけた筒状支持体１を得た。そして、リード紙の先端部分裏面に、接着部４を形成せずに、先端部分表面に両面テープ（寺岡製作所株式会社製：製品番号Ｎｏ．７６４４）を横全巾にわたって貼付け、接合部６を形成した。実施例と同様にシートの巻きつけを試みたが、フィルム又はシートにシワが生じてしまい、巻き付けがうまく行われなかった。
【００３８】
比較例−２
実施例−１と同様にして、リード紙を６０ｍ巻きつけた筒状支持体１を得た。そして、リード紙の先端部分裏面に、両面テープ（接着強度５８．８Ｎ／ｍ）を横全巾にわたって貼付け、接着部４を作成した。更に、シート５の接着のためにリード紙先端部分表面に両面テープを全横巾にわたって貼り付け、接合部６を作成した。実施例と同様、シートの巻きつけは問題なく出来たが、印刷時にはリード紙が破断してしまい、リード紙を繰り出し出来なかった。
【図面の簡単な説明】
【図１】本発明の一例である筒状支持体の斜視図。
【図２】筒状支持体の構成を示す説明図。
【図３】筒状支持体及び接着部を示す説明図。
【図４】筒状支持体とフィルム又はシートの貼付けを示す説明図。
【図５】実施例２記載の本発明の一例である筒状支持体の斜視図。
【図６】フィルム又はシート生産時の巻取り工程を示す説明図。
【図７】印刷時における巻取り工程を示す説明図。
【図８】筒状支持体とフィルム又はシートを貼りつけた状態を示す斜視図。
【図９】実施例１におけるＸ‐Ｙ断面図。
【図１０】実施例２におけるＸ‐Ｙ断面図。
【符号の説明】
１　筒状支持体
２　芯管
３　リード紙
３ａ　リード紙先端部
３ｂ　リード紙終端部
３Ｌ　最外層より下層のリード紙
４　再剥離可能な接着部
５　フィルム又はシート
６　リード紙とフィルム又はシートの接合部
【図１】
2004026468.tif 000002
【図２】
2004026468.tif 000003
【図３】
2004026468.tif 000004
【図４】
2004026468.tif 000005
【図５】
2004026468.tif 000006
【図６】
2004026468.tif 000007
【図７】
2004026468.tif 000008
【図８】
2004026468.tif 000009
【図９】
2004026468.tif 000010
【図１０】
2004026468.tif 000011